(57)【要約】【課題】撮影現場から離れた場所にいる写真の撮影依頼者が、撮影を依頼した撮影対象をその映像を見ながら自分の指示に従って撮影者に撮影してもらい、且つ、撮影された写真画像のうち撮影依頼者の選択する画像を即時に撮影者から撮影依頼者に送付することを課題とする。【解決手段】コンピュータネットワークを通して交信可能なＷｅｂサーバ、映像撮影手段、画像撮影手段が接続されている画像送信者のクライアント末端、画像受信者のクライアント末端を含むコンピュータネットワークを利用した画像撮影システム及び方法を用い、画像受信者のクライアント末端が撮影対象を映像で表示し、それに基づき画像撮影に関しての連絡事項を同末端から送信し、画像撮影手段により撮影された画像を同末端に表示し、画像送信者のクライアント末端から画像受信者の選択した画像を送付し、画像受信者のクライアント末端でその画像データを受信する。【選択図】  図１
2004312626.tif 000002
【特許請求の範囲】
【請求項１】
コンピュータネットワークを通して交信可能なＷｅｂサーバ、映像撮影手段、画像撮影手段が接続されている画像送信者のクライアント末端、画像受信者のクライアント末端を含み、
上記画像送信者のクライアント末端は、画像撮影手段により撮影された画像データをＷｅｂサーバに送信する手段を備え、
上記Ｗｅｂサーバは、上記画像送信者のクライアント末端から送信された上記画像データを受信して記録する手段を備え、
上記映像撮影手段は、画像撮影現場ないし画像撮影対象を撮影して映像データとして記録する手段を備え、
上記画像受信者のクライアント末端は、上記映像撮影手段が記録している上記映像データ、及び、上記画像送信者のクライアント末端から送信され上記Ｗｅｂサーバに記録されている上記画像データをその表示画面にそれぞれ当該映像、及び、当該画像として表示する手段を備えているコンピュータネットワークを利用した画像撮影システム。
【請求項２】
画像送信者のクライアント末端は、画像受信者に対する画像撮影に関しての連絡事項を文字データとしてＷｅｂサーバに送信する手段、及び、画像受信者のクライアント末端から送信され上記Ｗｅｂサーバに記録されている画像送信者に対する画像撮影に関しての連絡事項の文字データをその表示画面に当該連絡事項として表示する手段を備え、
上記画像受信者のクライアント末端は、画像送信者に対する画像撮影に関しての連絡事項を文字データとして上記Ｗｅｂサーバに送信する手段、及び、上記画像送信者のクライアント末端から送信され上記Ｗｅｂサーバに記録されている画像受信者に対する画像撮影に関しての連絡事項の文字データをその表示画面に当該連絡事項として表示する手段を備え、
上記Ｗｅｂサーバは、上記画像送信者のクライアント末端から送信された上記画像撮影に関しての連絡事項の文字データ、及び、上記画像受信者のクライアント末端から送信された上記画像撮影に関しての連絡事項の文字データをそれぞれ受信して記録する手段を備えていることを特徴とする請求項１記載の画像撮影システム。
【請求項３】
画像送信者のクライアント末端は、画像受信者に対する画像撮影に関しての連絡事項を画像受信者のクライアント末端に送信する手段、及び、上記画像受信者のクライアント末端から送信される画像送信者に対する画像撮影に関しての連絡事項を受信する手段を備え、
上記画像受信者のクライアント末端は、画像送信者に対する画像撮影に関しての連絡事項を上記画像送信者のクライアント末端に送信する手段、及び、上記画像送信者のクライアント末端から送信される画像受信者に対する画像撮影に関しての連絡事項を受信する手段を備えていることを特徴とする請求項１記載の画像撮影システム。
【請求項４】
コンピュータネットワークを通して交信可能なＷｅｂサーバ、映像撮影手段、画像撮影手段が接続されている画像送信者のクライアント末端を含み、上記Ｗｅｂサーバ、上記映像撮影手段、上記画像送信者のクライアント末端には画像受信者のクライアント末端が上記コンピュータネットワークを通してアクセス可能であり、
上記画像送信者のクライアント末端は、画像撮影手段により撮影された画像データを上記Ｗｅｂサーバに送信する手段を備え、
上記Ｗｅｂサーバは、上記画像送信者のクライアント末端から送信された上記画像データを受信して、上記画像受信者のクライアント末端で表示可能な形態で記録する手段を備え、
上記映像撮影手段は、画像撮影現場ないし画像撮影対象を撮影して映像データとして、上記画像受信者のクライアント末端で表示可能な形態で記録する手段を備えているコンピュータネットワークを利用した画像撮影システム。
【請求項５】
画像送信者のクライアント末端は、画像受信者に対する画像撮影に関しての連絡事項を文字データとしてＷｅｂサーバに送信する手段、及び、画像受信者のクライアント末端から送信され上記Ｗｅｂサーバに記録されている画像送信者に対する画像撮影に関しての連絡事項の文字データをその表示画面に当該連絡事項として表示する手段を備え、
上記Ｗｅｂサーバは、上記画像送信者のクライアント末端から送信された上記画像撮影に関しての連絡事項の文字データ、及び、上記画像受信者のクライアント末端から送信された画像撮影に関しての連絡事項の文字データをそれぞれ受信して、上記画像送信者のクライアント末端、及び、上記画像受信者のクライアント末端でそれぞれ表示可能な形態で記録する手段を備えていることを特徴とする
請求項４記載の画像撮影システム。
【請求項６】
画像送信者のクライアント末端は、画像受信者に対する画像撮影に関しての連絡事項を画像受信者のクライアント末端に送信する手段、及び、上記画像受信者のクライアント末端から送信される画像送信者に対する画像撮影に関しての連絡事項を受信する手段を備えていることを特徴とする請求項４記載の画像撮影システム。
【請求項７】
Ｗｅｂサーバは、画像送信者のクライアント末端から画像受信者のクライアント末端に送信される顧客特定のためのＩＤ及びパスワードを受け付けて、そのＩＤ及びパスワードを入力した上記画像受信者のクライアント末端のみが上記Ｗｅｂサーバに記録されている画像を閲覧し、画像撮影に関しての連絡事項の送受信をし、映像撮影手段に記録されている映像を閲覧できるようにする手段を備えていることを特徴とする請求項１から６のうちいずれか１項に記載の画像撮影システム
【請求項８】
画像送信者のクライアント末端が、画像受信者のクライアント末端においてＷｅｂサーバに記録されている画像を閲覧し、画像撮影に関しての連絡事項の送受信をし、映像撮影手段に記録されている映像を閲覧するために必要となる顧客特定のためのＩＤ及びパスワードを上記画像受信者のクライアント末端に送信する手段を備えていることを特徴とする請求項１から７のうちいずれか１項に記載の画像撮影システム
【請求項９】
画像送信者のクライアント末端が、画像受信者のクライアント末端の表示画面に表示された画像のうち画像受信者により選択された画像のデータを上記画像送信者のクライアント末端から上記画像受信者のクライアント末端に送信する手段を備えていることを特徴とする請求項１ないし８のうちいずれか１項に記載の画像撮影システム
【請求項１０】
画像送信者のクライアント末端が、画像受信者のクライアント末端の表示画面に表示された画像のうち画像受信者により選択された画像のデータを上記画像送信者のクライアント末端からＷｅｂサーバに送信する手段を備え、
上記Ｗｅｂサーバは、その画像データを受信して記録する手段を備え、
上記画像受信者のクライアント末端は、上記Ｗｅｂサーバに記録されている画像データを受信して記録する手段を備えていることを特徴とする請求項１ないし８のうちいずれか１項に記載の画像撮影システム
【請求項１１】
画像送信者のクライアント末端が、画像受信者のクライアント末端の表示画面に表示された画像のうち画像受信者により選択された画像のデータを上記画像送信者のクライアント末端からＷｅｂサーバに送信する手段を備え、
上記Ｗｅｂサーバは、その画像データを受信して、上記画像受信者のクライアント末端においてその画像データを受信して記録できる形態で記録する手段を備えていることを特徴とする請求項１ないし８のうちいずれか１項に記載の画像撮影システム
【請求項１２】
コンピュータネットワークを通して交信可能なＷｅｂサーバ、映像撮影手段、画像撮影手段が接続されている画像送信者のクライアント末端、画像受信者のクライアント末端を含むコンピュータネットワークを利用した画像撮影方法において、
上記画像送信者のクライアント末端が、画像撮影手段により撮影された画像データをＷｅｂサーバに送信するステップ、
上記Ｗｅｂサーバが、上記画像送信者のクライアント末端から送信された上記画像データを受信して記録するステップ、
上記映像撮影手段が、画像撮影現場ないし画像撮影対象を撮影して映像データとして記録するステップ、
上記画像受信者のクライアント末端が、上記映像撮影手段に記録されている上記映像データ、及び、上記画像送信者のクライアント末端から送信され上記Ｗｅｂサーバに記録されている上記画像データをその表示画面にそれぞれ当該映像、及び、当該画像として表示するステップを備えている画像撮影方法
【請求項１３】
画像送信者のクライアント末端が、画像受信者に対する画像撮影に関しての連絡事項を文字データとしてＷｅｂサーバに送信するステップ、
画像受信者のクライアント末端が、上記画像送信者のクライアント末端から送信され上記Ｗｅｂサーバに記録されている画像受信者に対する画像撮影に関しての連絡事項の文字データをその表示画面に当該連絡事項として表示するステップ、上記画像受信者のクライアント末端が、画像送信者に対する画像撮影に関しての連絡事項を文字データとして上記Ｗｅｂサーバに送信するステップ、
上記画像送信者のクライアント末端が、上記画像受信者のクライアント末端から送信され上記Ｗｅｂサーバに記録されている画像送信者に対する画像撮影に関しての連絡事項の文字データをその表示画面に当該連絡事項として表示するステップ、
上記Ｗｅｂサーバが、上記画像送信者のクライアント末端から送信された上記画像撮影に関しての連絡事項の文字データ、及び、上記画像受信者のクライアント末端から送信された上記画像撮影に関しての連絡事項の文字データをそれぞれ受信して記録するステップを備えていることを特徴とする請求項１２記載の画像撮影方法。
【請求項１４】
画像送信者のクライアント末端が、画像受信者に対する画像撮影に関しての連絡事項を画像受信者のクライアント末端に送信するステップ、
上記画像受信者のクライアント末端が、上記画像送信者のクライアント末端から送信される画像受信者に対する画像撮影に関しての連絡事項を受信するステップ、
上記画像受信者のクライアント末端が、画像送信者に対する画像撮影に関しての連絡事項を上記画像送信者のクライアント末端に送信するステップ、
上記画像送信者のクライアント末端が、上記画像受信者のクライアント末端から送信される画像送信者に対する画像撮影に関しての連絡事項を受信するステップを備えていることを特徴とする請求項１２記載の画像撮影方法。
【請求項１５】
コンピュータネットワークを通して交信可能なＷｅｂサーバ、映像撮影手段、画像撮影手段が接続されている画像送信者のクライアント末端を含み、上記Ｗｅｂサーバ、上記映像撮影手段、上記画像送信者のクライアント末端には画像受信者のクライアント末端が上記コンピュータネットワークを通してアクセス可能であるコンピュータネットワークを利用した画像撮影方法において、
上記画像送信者のクライアント末端が、上記画像撮影手段により撮影された画像データを上記Ｗｅｂサーバに送信するステップ、
上記Ｗｅｂサーバが、上記画像送信者のクライアント末端から送信された画像データを受信して、上記画像受信者のクライアント末端において表示可能な形態で記録するステップ、
上記映像撮影手段が、画像撮影現場ないし画像撮影対象を撮影して映像データとして、上記画像受信者のクライアント末端において表示可能な形態で記録するステップを備えていることを特徴とする画像撮影方法
【請求項１６】
画像送信者のクライアント末端が、画像受信者に対する画像撮影に関しての連絡事項を文字データとしてＷｅｂサーバに送信するステップ、
上記Ｗｅｂサーバが、上記画像送信者のクライアント末端から送信された上記画像撮影に関しての連絡事項の文字データ、及び、画像受信者のクライアント末端から送信された画像送信者に対する画像撮影に関しての連絡事項の文字データをそれぞれ受信して、上記画像送信者のクライアント末端、及び、上記画像受信者のクライアント末端においてそれぞれ表示可能な形態で記録するステップ、
上記画像送信者のクライアント末端が、上記画像受信者のクライアント末端から送信され上記Ｗｅｂサーバに記録されている上記画像送信者に対する画像撮影に関しての連絡事項の文字データをその表示画面に当該連絡事項として表示するステップを備えていることを特徴とする請求項１５記載の画像撮影方法。
【請求項１７】
画像送信者のクライアント末端が、画像受信者に対する画像撮影に関しての連絡事項を画像受信者のクライアント末端に送信するステップ、
上記画像送信者のクライアント末端が、画像受信者のクライアント末端から送信される画像送信者に対する画像撮影に関しての連絡事項を受信するステップを備えていることを特徴とする請求項１５記載の画像撮影方法。
【請求項１８】
Ｗｅｂサーバが、画像送信者のクライアント末端から画像受信者のクライアント末端に送信される顧客特定のためのＩＤ及びパスワードを受け付け、そのＩＤ及びパスワードを入力した上記画像受信者のクライアント末端のみが上記Ｗｅｂサーバに記録されている画像を閲覧し、画像撮影に関しての連絡事項の送受信をし、映像撮影手段に記録されている映像を閲覧できるようにする手段を備えていることを特徴とする請求項１２から１７のうちいずれか１項に記載の画像撮影方法
【請求項１９】
画像送信者のクライアント末端が、画像受信者のクライアント末端においてＷｅｂサーバに記録されている画像を閲覧し、画像撮影に関しての連絡事項の送受信をし、映像撮影手段に記録されている映像を閲覧するために必要となる顧客特定のためのＩＤ及びパスワードを上記画像受信者のクライアント末端に送信するステップを備えていることを特徴とする請求項１２から１８のうちいずれか１項に記載の画像撮影方法
【請求項２０】
画像送信者のクライアント末端が、画像受信者のクライアント末端の表示画面に表示された画像のうち画像受信者により選択された画像のデータを上記画像送信者のクライアント末端から上記画像受信者のクライアント末端に送信するステップを備えていることを特徴とする請求項１２から１９のうちいずれか１項に記載の画像撮影方法
【請求項２１】
画像送信者のクライアント末端が、画像受信者のクライアント末端の表示画面に表示された画像のうち画像受信者により選択された画像のデータを上記画像送信者のクライアント末端からＷｅｂサーバに送信するステップ、上記Ｗｅｂサーバは、その画像データを受信して記録するステップ、
上記画像受信者のクライアント末端は、上記Ｗｅｂサーバに記録されている画像データを受信して記録するステップを備えていることを特徴とする請求項１２から１９のうちいずれか１項に記載の画像撮影方法
【請求項２２】
画像送信者のクライアント末端が、画像受信者のクライアント末端の表示画面に表示された画像のうち画像受信者により選択された画像のデータを上記画像送信者のクライアント末端からＷｅｂサーバに送信するステップ、上記Ｗｅｂサーバは、その画像データを受信して、上記画像受信者のクライアント末端においてその画像データを受信して記録できる形態で記録するステップを備えていることを特徴とする請求項１２から１９のうちいずれか１項に記載の画像撮影方法
【発明の詳細な説明】
【０００１】
【発明の属する技術分野】
コンピュータネットワークを利用した画像撮影システム及びその方法にかかり、特に、画像送信者（画像を撮影し、その画像データを送信する者を意味する。）と画像受信者（画像データを受信する者を意味する。）が同一場所にいない場合でも（特に、遠隔地にいる場合でも）、両者が同一場所にいるのと同様に画像撮影を行い、且つ、撮影された画像のうち画像受信者が気に入った画像を即時に取得することができるコンピュータネットワークを利用した画像撮影システム及びその方法に関する。
【０００２】
【従来の技術】
例えば、写真撮影の依頼者が、物又は自分以外の人物（例えば、モデル）の写真撮影を写真撮影者（特に、プロのカメラマン）に依頼する場合、従来、その撮影依頼者は、合意された撮影日に撮影対象となる物を持って撮影現場に行くか、撮影対象となる人物と共に撮影現場に行っている。その場合、撮影依頼者は、撮影対象を撮影する際の撮影角度、撮影対象の背景、撮影される画像の枠に占める撮影対象の比率、撮影対象にあてられる照明の強弱等の撮影方法（以下「撮影方法」という。）について、写真撮影者の質問に答える等して写真撮影者に指示を与えている。
【０００３】
または、撮影依頼者は、合意された撮影日までに撮影対象となる物が写真撮影者のもとに届くように郵送する等して送付し、若しくは、撮影日に撮影対象となる人物のみを撮影現場に行かせている。その場合、撮影依頼者は、撮影日までに、撮影方法を記載した文書を郵送若しくはファックスで写真撮影者に送付したり、又は、それを電子メールで写真撮影者に送付したりする等して写真撮影者に指示を与えている（この場合、撮影依頼者が、撮影方法を写真撮影者の判断に委ねることもある。）。
【０００５】
そして、撮影された写真は、撮影依頼者が写真撮影者のもとに取りに行くか、写真撮影者から撮影依頼者に郵送若しくは電子メール等のコンピュータネットワークを通して送付されるか、あるいは、撮影時に撮影現場で写真依頼者が写真を受け取るということが行われている。
【０００６】
以上のような写真撮影の場合に限らず、従来、同一場所にいない者同士において、一方の者が撮影した画像データを他方の者が閲覧し、その画像データについて両者で話をするには、両者が同一場所に集まるか、あるいは、一方の者が電子メールで画像データを他方の者に送付することが行われている。
【０００７】
しかし、このようなやりかたには、以下のような欠点ないし問題点がある。
【０００８】
第１に、撮影依頼者が、合意された撮影日に撮影対象となる物を持って撮影現場に行き、又は、撮影対象となる人物と共に撮影現場に行き、撮影方法について、写真撮影者の質問に答える等して写真撮影者に指示を与えるという点については、撮影依頼者と写真撮影者が遠距離にいればいるほど、撮影現場に行く時間、手間、費用が多くかかるという欠点ないし問題点がある。
【０００９】
第２に、撮影依頼者が、合意された撮影日までに撮影対象となる物を写真撮影者のもとに届くように郵送する等して送付し、又は、撮影日に撮影対象となる人物のみを撮影現場に行かせ、撮影依頼者が、撮影日までに、撮影方法を記載した文書を郵送若しくはファックスで写真撮影者に送付したり、又は、それを電子メールで写真撮影者に送付したりする等して写真撮影者に指示を与えるという点についても、撮影が必ずしも撮影依頼者の意のままにならないという欠点ないし問題点がある。例えば、撮影依頼者は、撮影現場や撮影対象の様子、状況等を見て、その場の判断で撮影方法を決定したい場合もあるが、上記のような方法では、そのようなことをすることはできない。
【００１０】
第３として、撮影された写真は、撮影依頼者が写真撮影者のもとに取りに行くという点も、両者が遠距離にいればいるほど時間、手間、費用が多くかかるという欠点ないし問題点ある。また、撮影された写真が、写真撮影者から撮影依頼者に郵送又は電子メール等のコンピュータネットワークを通して送付されるという点についても、複数枚撮られた写真のうち撮影依頼者の気に入った一部の写真のみを写真撮影者から撮影依頼者に送付してもらう場合には、撮影依頼者と写真撮影者が遠距離にいればいるほど、送付する写真の選択、決定の仕方に困難を伴うのみならず、郵送では時間もかかるという欠点ないし問題点がある。
【００１１】
第４として、上記のような写真撮影の場合に限らず、同一場所にいない者同士において、一方の者が撮影した画像データを他方の者が閲覧し、その画像について両者で話をする場合に、画像データを電子メールで送付するという点についても、画像データが複数あるときには、少なくともその画像の選択に困難を伴う場合が生じ、両者間の話はスムースに進まないことがある。
【００１２】
【本発明に関連する文献】出願人は、本出願時点において、本発明に関連する公知文献の存在を知らないため、その記載をしない。
【００１３】
【発明が解決しようとする課題】
本発明は、「従来の技術」の項に記載した上記欠点ないし問題点を解決することを課題
（目的）とする共に、その解決をすることにより生ずる不都合（コンピュータネットワークを利用することが原因で、撮影され画像、画像受信者に送付する画像、連絡事項等をコンピュータネットワークを通して第三者により勝手に閲覧されること）を排除することを課題
（目的）としてなされたものである。
【００１４】
すなわち、本発明の第１の課題
（目的）は、コンピュータネットワークを利用して交信可能なＷｅｂサーバ、映像撮影手段、画像撮影手段が接続された画像送信者のクライアント末端、画像受信者のクライアント末端を含む写真撮影システム及び方法等を構築することによって、撮影依頼者と写真撮影者が遠距離にいたとしても、撮影依頼者が、撮影方法について、写真撮影者に指示を与えるために、撮影日に撮影現場に行く必要をなくし、撮影依頼者が撮影現場に行く時間、手間、費用をかける必用をなくすことにある。また、撮影依頼者と写真撮影者が同一建物内にいる場合でも、両者が場所を異動せずに撮影を行うことができるようにすることにある。
【００１５】
本発明の第２の課題
（目的）は、コンピュータネットワークを利用して交信可能なＷｅｂサーバ、映像撮影手段、画像撮影手段が接続された画像送信者のクライアント末端、画像受信者のクライアント末端を含む画像撮影システム及び方法等を構築することによって、撮影依頼者が、撮影日までに、撮影方法を記載した文書を郵送若しくはファックスで写真撮影者に送付したり、又は、それを電子メールで写真撮影者に送付したりする等して写真撮影者に指示を与える必要をなくすことにある。言い換えると、上記システムないし方法等を構築することにより、撮影依頼者が撮影現場と異なる場所にいたとしても（特に、撮影現場と遠距離にいたとしても）、撮影依頼者が撮影現場または撮影対象の様子、状況を映す映像を見ながら、撮影方法について写真撮影者に指示を出すことにより、撮影依頼者が、あたかも撮影現場にいるのと同様の撮影を実現することにある。
【００１６】
本発明の第３の課題
（目的）は、コンピュータネットワークを利用して交信可能なＷｅｂサーバ、映像撮影手段、画像撮影手段が接続された画像送信者のクライアント末端、画像受信者のクライアント末端を含む画像撮影システム及び方法等を構築することによって、撮影された写真を撮影依頼者が写真撮影者のもとに取りに行く必要をなくすこと、また、撮影された写真を写真撮影者から撮影依頼者に電子メール等のコンピュータネットワークを通して送付する場合にも、複数枚撮られた写真のうち撮影依頼者の気に入った一部の写真のみを送付するようなときにその選択、決定の困難を取り除き、撮影された複数枚の写真のうち撮影依頼者の気に入った写真のみを即時に撮影依頼者に送付することができるようにすることにある。
【００１７】
本発明の第４の課題
（目的）は、コンピュータネットワークを利用して交信可能なＷｅｂサーバ、映像撮影手段、画像撮影手段が接続された画像送信者のクライアント末端、画像受信者のクライアント末端を含む画像撮影システム及び方法等を構築することによって、写真撮影の場合に限らず、同一場所にいない者同士において、一方の者が有するパーソナルコンピュータに記録されている画像データを他方の者が閲覧し、その画像データについて両者で話し合いをする場合に、両者が画像を自由に選択し、選択された画像データを画像受信者のクライアント末端と画像送信者のクライアント末端の各表示画面にそれぞれ表示し、その画像について自由に話し合いを進めることができるようにすることにある。
【００１８】
本発明の第５の課題
（目的）は、第１から第４の上記目的を達成するために本発明はコンピュータネットワークを利用することから、コンピュータネットワークを利用して画像撮影の様子を第三者に勝手に閲覧されることがないようにすることにある。
【００１９】
【課題を解決するための手段】
上記の課題を解決するための手段は、以下のとおりである。
【００２０】
第１に、請求項１記載の発明は、コンピュータネットワークを通して交信可能なＷｅｂサーバ、映像撮影手段、画像撮影手段が接続されている画像送信者のクライアント末端、画像受信者のクライアント末端を含み、上記画像送信者のクライアント末端は、画像撮影手段により撮影された画像データをＷｅｂサーバに送信する手段を備え、上記Ｗｅｂサーバは、上記画像送信者のクライアント末端から送信された上記画像データを受信して記録する手段を備え、上記映像撮影手段は、画像撮影現場ないし画像撮影対象を撮影して映像データとして記録する手段を備え、上記画像受信者のクライアント末端は、映像撮影手段が記録している上記映像データ、及び、画像送信者のクライアント末端から送信され上記Ｗｅｂサーバに記録されている上記画像データを受信して、その表示画面にそれぞれ当該映像、及び、当該画像として表示する手段を備えているコンピュータネットワークを利用した画像撮影システムである。
【００２１】
第２に、請求項２記載の発明は、画像送信者のクライアント末端が、画像受信者に対する画像撮影に関しての連絡事項を文字データとしてＷｅｂサーバに送信する手段、及び、画像受信者のクライアント末端から送信され上記Ｗｅｂサーバに記録されている画像送信者に対する画像撮影に関しての連絡事項の文字データをその表示画面に当該連絡事項として表示する手段を備え、上記画像受信者のクライアント末端は、画像送信者に対する画像撮影に関しての連絡事項を文字データとして上記Ｗｅｂサーバに送信する手段、及び、上記画像送信者のクライアント末端から送信され上記Ｗｅｂサーバに記録されている画像受信者に対する画像撮影に関しての連絡事項の文字データをその表示画面に当該連絡事項として表示する手段を備え、上記Ｗｅｂサーバは、上記画像送信者のクライアント末端から送信された上記画像撮影に関しての連絡事項の文字データ、及び、上記画像受信者のクライアント末端から送信された上記画像撮影に関しての連絡事項の文字データをそれぞれ受信して記録する手段を備えていることを特徴とする請求項１記載の画像撮影システムである。
【００２２】
第３として、請求項３記載の発明は、画像送信者のクライアント末端が、画像受信者に対する画像撮影に関しての連絡事項を画像受信者のクライアント末端に送信する手段、及び、上記画像受信者のクライアント末端から送信される画像送信者に対する画像撮影に関しての連絡事項を受信する手段を備え、上記画像受信者のクライアント末端は、画像送信者に対する画像撮影に関しての連絡事項を上記画像送信者のクライアント末端に送信する手段、及び、上記画像送信者のクライアント末端から送信される画像受信者に対する画像撮影に関しての連絡事項を受信する手段を備えていることを特徴とする請求項１記載の画像撮影システムである。
【００２３】
第４として、請求項４記載の発明は、コンピュータネットワークを通して交信可能なＷｅｂサーバ、映像撮影手段、画像撮影手段が接続されている画像送信者のクライアント末端を含み、上記Ｗｅｂサーバ、上記映像撮影手段、上記画像送信者のクライアント末端には画像受信者のクライアント末端が上記コンピュータネットワークを通してアクセス可能であり、上記画像送信者のクライアント末端は、画像撮影手段により撮影された画像データを上記Ｗｅｂサーバに送信する手段を備え、上記Ｗｅｂサーバは、上記画像送信者のクライアント末端から送信された上記画像データを受信して、上記画像受信者のクライアント末端で表示可能な形態で記録する手段を備え、上記映像撮影手段は、画像撮影現場ないし画像撮影対象を撮影して映像データとして、上記画像受信者のクライアント末端で表示可能な形態で記録する手段を備えているコンピュータネットワークを利用した画像撮影システムである。
【００２４】
第５として、請求項５記載の発明は、画像送信者のクライアント末端は、画像受信者に対する画像撮影に関しての連絡事項を文字データとしてＷｅｂサーバに送信する手段、及び、画像受信者のクライアント末端から送信され上記Ｗｅｂサーバに記録されている画像送信者に対する画像撮影に関しての連絡事項の文字データをその表示画面に当該連絡事項として表示する手段を備え、上記Ｗｅｂサーバは、上記画像送信者のクライアント末端から送信された上記画像撮影に関しての連絡事項の文字データ、及び、上記画像受信者のクライアント末端から送信された画像撮影に関しての連絡事項の文字データをそれぞれ受信して、上記画像送信者のクライアント末端、及び、上記画像受信者のクライアント末端でそれぞれ表示可能な形態で記録する手段を備えていることを特徴とする請求項４記載の画像撮影システムである。
【００２５】
第６として、請求項６記載の発明は、画像送信者のクライアント末端が、画像受信者に対する画像撮影に関しての連絡事項を画像受信者のクライアント末端に送信する手段、及び、上記画像受信者のクライアント末端から送信される画像送信者に対する画像撮影に関しての連絡事項を受信する手段を備えていることを特徴とする請求項４記載の画像撮影システムである。
【００２６】
第７として、請求項７記載の発明は、Ｗｅｂサーバが、画像送信者のクライアント末端から画像受信者のクライアント末端に送信される顧客特定のためのＩＤ及びパスワードを受け付けて、そのＩＤ及びパスワードを入力した上記画像受信者のクライアント末端のみが上記Ｗｅｂサーバに記録されている画像を閲覧し、画像撮影に関しての連絡事項の送受信をし、映像撮影手段に記録されている映像を閲覧できるようにする手段を備えていることを特徴とする請求項１から６のうちいずれか１項に記載の画像撮影システムである。
【００２７】
画像送第８として、請求項８記載の発明は、信者のクライアント末端が、画像受信者のクライアント末端においてＷｅｂサーバに記録されている画像を閲覧し、画像撮影に関しての連絡事項の送受信をし、映像撮影手段に記録されている映像を閲覧するために必要となる顧客特定のためのＩＤ及びパスワードを上記画像受信者のクライアント末端に送信する手段を備えていることを特徴とする請求項１から７のうちいずれか１項に記載の画像撮影システムである。
【００２８】
第９として、請求項９記載の発明は、画像送信者のクライアント末端が、画像受信者のクライアント末端の表示画面に表示された画像のうち画像受信者により選択された画像を上記画像送信者のクライアント末端から上記画像受信者のクライアント末端に送信する手段を備えていることを特徴とする請求項１ないし８のうちいずれか１項に記載の画像撮影システムである。
【００２９】
第１０として、請求項１０記載の発明は、画像送信者のクライアント末端が、画像受信者のクライアント末端の表示画面に表示された画像のうち画像受信者により選択された画像のデータを上記画像送信者のクライアント末端からＷｅｂサーバに送信する手段を備え、上記Ｗｅｂサーバは、その画像データを受信して記録する手段を備え、上記画像受信者のクライアント末端は、上記Ｗｅｂサーバに記録されている画像データを受信して記録する手段を備えていることを特徴とする請求項１ないし８のうちいずれか１項に記載の画像撮影システムである。
【００３０】
第１１として、請求項１１記載の発明は、画像送信者のクライアント末端が、画像受信者のクライアント末端の表示画面に表示された画像のうち画像受信者により選択された画像のデータを上記画像送信者のクライアント末端からＷｅｂサーバに送信する手段を備え、上記Ｗｅｂサーバは、その画像データを受信して、上記画像受信者のクライアント末端においてその画像データを受信して記録できる形態で記録する手段を備えていることを特徴とする請求項１ないし８のうちいずれか１項に記載の画像撮影システムである。
【００３１】
第１２として、請求項１２記載の発明は、コンピュータネットワークを通して交信可能なＷｅｂサーバ、映像撮影手段、画像撮影手段が接続されている画像送信者のクライアント末端、画像受信者のクライアント末端を含むコンピュータネットワークを利用した画像撮影方法において、上記画像送信者のクライアント末端が、画像撮影手段により撮影された画像データをＷｅｂサーバに送信するステップ、上記Ｗｅｂサーバが、上記画像送信者のクライアント末端から送信された上記画像データを受信して記録するステップ、上記映像撮影手段が、画像撮影現場ないし画像撮影対象を撮影して映像データとして記録するステップ、上記画像受信者のクライアント末端が、上記映像撮影手段に記録されている上記映像データ、及び、上記画像送信者のクライアント末端から送信され上記Ｗｅｂサーバに記録されている上記画像データを受信して、その表示画面にそれぞれ当該映像、及び、当該画像として表示するステップを備えている画像撮影方法である。
【００３２】
第１３として、請求項１３記載の発明は、画像送信者のクライアント末端が、画像受信者に対する画像撮影に関しての連絡事項を文字データとしてＷｅｂサーバに送信するステップ、画像受信者のクライアント末端が、上記画像送信者のクライアント末端から送信され上記Ｗｅｂサーバに記録されている画像受信者に対する画像撮影に関しての連絡事項の文字データをその表示画面に当該連絡事項として表示するステップ、上記画像受信者のクライアント末端が、画像送信者に対する画像撮影に関しての連絡事項を文字データとして上記Ｗｅｂサーバに送信するステップ、上記画像送信者のクライアント末端が、上記画像受信者のクライアント末端から送信され上記Ｗｅｂサーバに記録されている画像送信者に対する画像撮影に関しての連絡事項の文字データをその表示画面に当該連絡事項として表示するステップ、上記Ｗｅｂサーバが、上記画像送信者のクライアント末端から送信された上記画像撮影に関しての連絡事項の文字データ、及び、上記画像受信者のクライアント末端から送信された上記画像撮影に関しての連絡事項の文字データをそれぞれ受信して記録するステップを備えていることを特徴とする請求項１２記載の画像撮影方法である。
【００３３】
第１４として、請求項１４記載の発明は、画像送信者のクライアント末端が、画像受信者に対する画像撮影に関しての連絡事項を画像受信者のクライアント末端に送信するステップ、上記画像受信者のクライアント末端が、上記画像送信者のクライアント末端から送信される画像受信者に対する画像撮影に関しての連絡事項を受信するステップ、上記画像受信者のクライアント末端が、画像送信者に対する画像撮影に関しての連絡事項を上記画像送信者のクライアント末端に送信するステップ、上記画像送信者のクライアント末端が、上記画像受信者のクライアント末端から送信される画像送信者に対する画像撮影に関しての連絡事項を受信するステップを備えていることを特徴とする請求項１２記載の画像撮影方法である。
【００３４】
第１５として、請求項１５記載の発明は、コンピュータネットワークを通して交信可能なＷｅｂサーバ、映像撮影手段、画像撮影手段が接続されている画像送信者のクライアント末端を含み、上記Ｗｅｂサーバ、上記映像撮影手段、上記画像送信者のクライアント末端には画像受信者のクライアント末端が上記コンピュータネットワークを通してアクセス可能であるコンピュータネットワークを利用した画像撮影方法において、上記画像送信者のクライアント末端が、上記画像撮影手段により撮影された画像データを上記Ｗｅｂサーバに送信するステップ、上記Ｗｅｂサーバが、上記画像送信者のクライアント末端から送信された画像データを受信して、上記画像受信者のクライアント末端において表示可能な形態で記録するステップ、上記映像撮影手段が、画像撮影現場ないし画像撮影対象を撮影して映像データとして、上記画像受信者のクライアント末端において表示可能な形態で記録するステップを備えていることを特徴とする画像撮影方法
【００３５】
第１６として、請求項１６記載の発明は、画像送信者のクライアント末端が、画像受信者に対する画像撮影に関しての連絡事項を文字データとしてＷｅｂサーバに送信するステップ、上記Ｗｅｂサーバが、上記画像送信者のクライアント末端から送信された上記画像撮影に関しての連絡事項の文字データ、及び、画像受信者のクライアント末端から送信された画像送信者に対する画像撮影に関しての連絡事項の文字データをそれぞれ受信して、上記画像送信者のクライアント末端、及び、上記画像受信者のクライアント末端においてそれぞれ表示可能な形態で記録するステップ、上記画像送信者のクライアント末端が、上記画像受信者のクライアント末端から送信され上記Ｗｅｂサーバに記録されている上記画像送信者に対する画像撮影に関しての連絡事項の文字データをその表示画面に当該連絡事項として表示するステップを備えていることを特徴とする請求項１５記載の画像撮影方法である。
【００３６】
第１７として、請求項１７記載の発明は、画像送信者のクライアント末端が、画像受信者に対する画像撮影に関しての連絡事項を画像受信者のクライアント末端に送信するステップ、上記画像送信者のクライアント末端が、画像受信者のクライアント末端から送信される画像送信者に対する画像撮影に関しての連絡事項を受信するステップを備えていることを特徴とする請求項１５記載の画像撮影方法である。
【００３７】
第１８として、請求項１８記載の発明は、Ｗｅｂサーバが、画像送信者のクライアント末端から画像受信者のクライアント末端に送信される顧客特定のためのＩＤ及びパスワードを受け付け、そのＩＤ及びパスワードを入力した上記画像受信者のクライアント末端のみが上記Ｗｅｂサーバに記録されている画像を閲覧し、画像撮影に関しての連絡事項の送受信をし、映像撮影手段に記録されている映像を閲覧できるようにする手段を備えていることを特徴とする請求項１２から１７のうちいずれか１項に記載の画像撮影方法である。
【００３８】
第１９として、請求項１９記載の発明は、画像送信者のクライアント末端が、画像受信者のクライアント末端においてＷｅｂサーバに記録されている画像を閲覧し、画像撮影に関しての連絡事項の送受信をし、映像撮影手段に記録されている映像を閲覧するために必要となる顧客特定のためのＩＤ及びパスワードを上記画像受信者のクライアント末端に送信するステップを備えていることを特徴とする請求項１２から１８のうちいずれか１項に記載の画像撮影システムである。
【００３９】
第２０として、請求項２０記載の発明は、画像送信者のクライアント末端が、画像受信者のクライアント末端の表示画面に表示された画像のうち画像受信者により選択された画像のデータを上記画像送信者のクライアント末端から上記画像受信者のクライアント末端に送信するステップを備えていることを特徴とする請求項１２から１９のうちいずれか１項に記載の画像撮影の方法である。
【００４０】
第２１として、請求項２１記載の発明は、画像送信者のクライアント末端が、画像受信者のクライアント末端の表示画面に表示された画像のうち画像受信者により選択された画像のデータを上記画像送信者のクライアント末端からＷｅｂサーバに送信するステップ、上記Ｗｅｂサーバは、その画像データを受信して記録するステップ、上記画像受信者のクライアント末端は、上記Ｗｅｂサーバに記録されている画像データを受信して記録するステップを備えていることを特徴とする請求項１２から１９のうちいずれか１項に記載の画像撮影方法である。
【００４１】
第２２として、請求項２２記載の発明は、画像送信者のクライアント末端が、画像受信者のクライアント末端の表示画面に表示された画像のうち画像受信者により選択された画像のデータを上記画像送信者のクライアント末端からＷｅｂサーバに送信するステップ、上記Ｗｅｂサーバは、その画像データを受信して、上記画像受信者のクライアント末端においてその画像データを受信して記録できる形態で記録するステップを備えていることを特徴とする請求項１２から１９のうちいずれか１項に記載の画像撮影方法である。
【００４２】
【発明の実施の形態】
以下、本発明を図面に示す実施例に基づいて説明する。図１は、コンピュータネットワーク（符号１）を利用した画像撮影システムの全体像を示している。コンピュータネットワーク（符号１）は、公衆電話回線網、ケーブルテレビ回線網、インターネット等の既存のネットワークである。
【００４３】
画像受信者のクライアント末端（符号３）は、最も一般的には画像受信者の自宅又は会社等の仕事場に置かれたパーソナル・コンピュータであるが、コンビニエンス・ストアー等コンピュータネットワーク（符号１）に接続できる限りどこにでもクライアント末端を配置することができる。また、画像受信者のクライアント末端（符号３）は、一個に限らず、複数個でもよい。
【００４４】
画像送信者のクライアント末端（符号４）は、最も一般的には画像送信者の自宅又は会社等の仕事場に置かれたパーソナル・コンピュータであるが、コンピュータネットワーク（符号１）に接続できる限りどこに置かれたものでもよい。画像送信者のクライアント末端（符号４）は、画像データをその表示画面に画像として表示すると共に、そのデータをＷｅｂサーバ（符号２）に送信する機能（プログラム）を備えている。
【００４５】
画像撮影手段は、撮影対象を撮影し、画像送信者のクライアント末端（符号４）がその画像をデータとして記録し且つその表示画面に画像として表示できるようにデータ化する。多くの場合は、デジタルカメラ（符号５）が使用される。画像撮影手段は、画像送信者のクライアント末端（符号４）に接続され、撮影された画像は、画像データとして同末端（符号４）に記録され、その表示画面に表示されて、Ｗｅｂサーバ（符号２）に送信される。
【００４６】
映像撮影手段は、撮影現場又は撮影対象を撮影し、画像受信者のクライアント末端（符号３）の表示画面に表示可能な形態で映像データとして記録する。多くの場合は、デジタルビデオカメラ（符号６）が使用される。映像撮影手段は、一個に限らず、複数個でもよい。例えば、撮影現場の全体を映し出すデジタルビデオカメラ（符号６）とデジタルカメラ（符号５）の上面部に置いて画像撮影手段であるデジタルカメラ（符号５）とほぼ同じアングル且つ同じ距離で撮影対象の映像を映し出す小型のデジタルビデオカメラ（符号６）の二つをコンピュータネットワークに接続しておき、いずれの映像を画像受信者のクライアント末端（符号３）の表示画面に表示するかを同末端（符号３）で選択することができるようにすることもできる。
【００４７】
Ｗｅｂサーバ（符号２）は、画像送信者から画像受信者に与えられた顧客特定のためのＩＤとパスワードの入力がなければ、画像受信者のクライアント末端（符号３）からＷｅｂサーバ（符号２）の画像撮影に用いるＷｅｂページにアクセスできないようにする機能（プログラム）を備えている。なお、サーバとは、サーバ・コンピュータを意味する。
【００４８】
また、Ｗｅｂサーバ（符号２）は、画像受信者のクライアント末端（符号３）からＩＤとパスワードの入力をされると、同クライアント末端（符号３）が自動的にデジタルビデオカメラ（符号６）に直接アクセスするようにする機能（プログラム）を備えている。その結果、画像受信者のクライアント末端（符号３）は、デジタルビデオカメラ（符号６）と直接交信し、そのデジタルビデオカメラ（符号６）により撮影され、データ化された映像をその表示画面に映像として表示することができる。
【００４９】
さらに、Ｗｅｂサーバ（符号２）は、画像受信者のクライアント末端（符号３）と画像送信者のクライアント末端（符号４）の双方から、画像撮影に関しての連絡事項の文字データの送信を受け付ける機能（チャット用のプログラム）を備えている。本明細書で「画像撮影に関しての連絡事項」とは、撮影方法、撮影された画像の選択、その画像データの送信依頼、その他画像撮影に関連する一切の事項を含む意味として使用する。
【００５０】
そして、Ｗｅｂサーバ（符号２）は、画像送信者のクライアント末端（符号４）から送信される画像撮影に関しての連絡事項の文字データ、及び、画像データ、並びに、画像受信者のクライアント末端（符号３）から送信される画像撮影に関しての連絡事項の文字データをそれぞれ受信し、Ｗｅｂサーバ（符号２）にアクセスしている画像受信者のクライアント末端（符号３）の表示画面に画像、及び、連絡事項を表示させ、同じくＷｅｂサーバ（符号２）にアクセスしている画像送信者のクライアント末端（符号４）の表示画面に連絡事項を表示させる。
【００５１】
Ｗｅｂサーバ（符号２）、デジタルビデオカメラ（符号６）、画像送信者のクライアント末端（符号４）、画像受信者のクライアント末端（符号３）は、それぞれ通信機能をもっており、コンピュータネットワークを通して交信する。Ｗｅｂサーバ（符号２）では、Ｗｅｂサーバプログラムが動作し、デジタルビデオカメラ（符号２）では、ビデオカメラサーバプログラムが動作し、画像送信者および画像受信者の各クライアント末端（符号３、４）ではＷｅｂブラウザプログラムが動作する。
【００５２】
ここで図２と図３に基づいて、コンピュータネットワーク（符号１）を通して、画像受信者のクライアント末端（符号３）がＷｅｂサーバ（符号２）にアクセスし、最終的に画像送信者のクライアント末端（符号４）が画像受信者のクライアント末端（符号３）に向けて画像受信者の選択、希望する画像データを送付するまでの動作を説明する。
【００５３】
まず、図２に基づいて説明する。本発明が実施されるにあたり、画像受信者と画像送信者との間で、撮影をすることについての合意がなされる必要がある。その合意は、電子メールで行われることが第一に想定される。それは、以下のとおりである。
【００５４】
最初に、画像受信者は、Ｗｅｂサーバ（符号２）のＵＲＬを自己のクライアント末端（符号３）において入力する。そして、そのクライアント末端（符号３）は、Ｗｅｂサーバ（符号２）にアクセスする（ステップＳ１）。画像受信者のクライアント末端（符号３）は、そのＷｅｂサーバ（符号２）のＷｅｂページを表示画面に表示する（ステップＳ２）。表示された画面上には、撮影の申し込みをするために使用する画像受信者のクライアント末端（符号３）にインストールされている電子メールプログラムを起動させる「メール」ボタンがある。画像受信者が、そのボタンをクリックすると、画像受信者のクライアント末端（符号３）にインストールされている電子メールプログラムが起動し、画像送信者の電子メールアドレスが入力されている電子メール作成送信用の画面が表示される（ステップＳ３）。
【００５５】
画像受信者は、その電子メールに自分の住所、氏名、撮影の対象となる物又は人物、撮影希望年月日、撮影希望時間等を入力して、画像送信者のクライアント末端（符号４）に向けて電子メールを送信する（ステップＳ４）。画像送信者のクライアント末端（符号４）は、この電子メールを受信し、撮影の申し込みを受け付ける（ステップＳ１１）。
【００５６】
画像送信者は、画像受信者からの撮影の申し込みに承諾をするときは、自己のクライアント末端（符号４）にインストールされている電子メールプログラムを用いて、電子メール作成送信用の画面に承諾の意思表示、撮影年月日、時間、顧客特定のためのＩＤ及びパスワード等を入力する。そして、電子メールの「送信」ボタンがクリックされることにより、画像送信者のクライアント末端（符号４）から画像受信者のクライアント末端（符号３）に上記電子メールが送信されて、上記ＩＤ及びパスワードが画像受信者のクライアント末端（符号３）に送られることになる（ステップＳ１２）。
【００５７】
次に、図３に基づいて説明をする。本発明を利用した撮影がなされる当日までに、画像受信者から画像送信者に撮影対象となる物が送付され、又は、撮影対象となる人物が撮影日に撮影現場に来ている。撮影当日は、まず、合意された撮影時間前に、デジタルカメラ（符号５）が接続された画像送信者のクライアント末端（符号４）にＷｅｂサーバ（符号２）のＵＲＬが入力される等して、同末端（符号４）がＷｅｂサーバ（符号２）にアクセスする（ステップＳ１３）。デジタルビデオカメラ（符号６）は、画像送信者のクライアント末端（符号４）と同じ撮影現場に置かれ、コンピュータネットワーク（符号１）に接続された状態にしておく。
【００５８】
画像受信者のクライアント末端（符号３）でも、Ｗｅｂサーバ（符号２）のＵＲＬが入力され、同サーバ（符号２）へのアクセスがなされる。このとき、画像受信者のクライアント末端（符号３）の表示画面には図４に示すＩＤとパスワードの入力画面が表示される（ステップＳ５）。
【００５９】
画像受信者のクライアント末端（符号３）において、予め画像送信者から与えられたＩＤとパスワードが入力されると、同末端（符号３）は、デジタルカメラ（符号５）により撮影される画像を閲覧し、画像撮影に関しての連絡事項を入力、閲覧するためのＷｅｂページにアクセスすることになり、また、Ｗｅｂサーバ（符号２）に備えられているプログラムにより自動的にデジタルビデオカメラ（符号６）にもアクセスすることになる（ステップＳ５）。
【００６０】
これにより、画像受信者のクライアント末端（符号３）の表示画面には図５に示す画像欄等の画面が表示される。図５のビデオ映像欄（符号７）は、デジタルビデオカメラ（符号６）に記録される撮影現場又は撮影対象の映像が表示される欄である。その欄の中には、映像切り替え用の「切り替え」ボタンがある。上記のように、撮影に際して、撮影現場全体の映像を映し出すデジタルビデオカメラ（符号６）とデジタルカメラ（符号５）の上面部の上に置かれたデジタルビデオカメラ（符号６）のように、二つ以上のデジタルビデオカメラ（符号６）が撮影現場にある場合、画像受信者のクライアント末端（符号３）では、その「切り替え」ボタンをクリックすることにより、そのいずれの映像を表示するかを選択することができる。
【００６１】
画像欄（符号８）は、画像送信者のクライアント末端（符号４）に接続されたデジタルカメラ（符号５）により撮影される画像が表示される欄であるが、この段階ではまだ画像は表示されていない。図７（１）は、このときの画像欄である。
【００６２】
連絡事項記載欄（符号９）は、画像受信者のクライアント末端（符号３）から画像送信者のクライアント末端（符号４）に画像撮影に関しての連絡事項を送信し、また逆に、画像送信者のクライアント末端（符号４）から画像受信者のクライアント末端（符号３）に画像撮影に関しての連絡事項が送信されるときに、その連絡事項が入力され、又は、その連絡事項が表示される欄である。
【００６３】
なお、画像送信者のクライアント末端（符号４）の表示画面に表示される画面は、図６のものである。ここには、デジタルビデオカメラ（符号６）により撮影される映像を表示する欄はない。画像送信者は、その映像を自ら見たい場合には、例えば、撮影現場にもう一つのパーソナル・コンピュータを置き、デジタルビデオカメラ（符号６）をそのパーソナル・コンピュータに接続して、その表示画面で映像を見ることができる。
【００６４】
画像受信者のクライアント末端（符号３）にＩＤ及びパスワードが入力され、同末端（符号３）が、Ｗｅｂサーバ（符号２）の画像撮影用のＷｅｂページ及びデジタルビデオカメラ（符号６）にアクセスし、図５に示す画面がその表示画面に表示された後は、画像受信者のクライアント末端（符号３）に画像送信者に対する画像撮影に関しての連絡事項が入力され、その連絡事項が同末端（符号３）からＷｅｂサーバ（符号２）に送信される（ステップＳ７）。画像送信者のクライアント末端（符号４）は、その表示画面にその連絡事項を表示する（ステップＳ１４）。この連絡事項は、例えば、画像送信者のクライアント末端（符号４）に接続されているデジタルカメラ（符号５）の上面部に置かれたデジタルビデオカメラ（符号６）により撮影され、画像受信者のクライアント末端（符号３）の表示画面に表示されている撮影対象の映像と同じ画像を撮影してほしいという連絡であったり、又は、その映像よりも撮影角度を少し上向きにした画像を撮影してほしいという連絡であったりする。この場合、画像受信者のクライアント末端（符号３）が複数あるときは、その複数のクライアント末端から画像撮影に関しての連絡事項が送信されることになる。画像受信者が異なる場所に複数いる場合には、それぞれの所在地にある画像受信者のクライアント末端（符号３）に同一の画面が表示され、それに基づいて、複数の画像受信者のクライアント末端からそれぞれ画像撮影に関しての連絡事項がＷｅｂサーバ（符号２）に送信され、画像送信者のクライアント末端（符号４）に表示される。
【００６５】
この連絡事項に対して、画像送信者のクライアント末端（符号４）に画像受信者に対する画像撮影に関しての連絡事項が入力され、その連絡事項が同末端（符号４）からＷｅｂサーバ（符号２）に送信される（ステップＳ１５）。そして、画像受信者のクライアント末端（符号３）は、その表示画面にその連絡事項を表示する（ステップＳ８）。この連絡事項は、例えば、画像受信者のクライアント末端（符号３）からの撮影方法についての連絡事項に対して、「指示のとおりに撮影をする。」という返事であったりする。
【００６６】
なお、Ｗｅｂサーバ（符号２）を介しての画像受信者のクライアント末端（符号３）と画像送信者のクライアント末端（符号４）の間のこの画像撮影に関しての連絡事項の送受信は、一回に限られることはない。特に、画像受信者のクライアント末端（符号３）の表示画面に表示されている撮影現場又は撮影対象の映像をもとにして、画像受信者のクライアント末端（符号３）から撮影方法について細かい指示があるとか、指示が多い場合には、画像受信者の納得するまで連絡事項のやりとりが行われる可能性もある。また、撮影と撮影の間に上記連絡事項の送受信が繰り返されることも当然ある。
【００６７】
Ｗｅｂサーバ（符号２）を介しての画像受信者のクライアント末端（符号３）と画像送信者のクライアント末端（符号４）の間で、画像撮影に関しての連絡事項の送受信がなされ、撮影方法がきまると、デジタルカメラ（符号５）により撮影対象の撮影が行われ、その画像データは、画像送信者のクライアント末端（符号４）からＷｅｂサーバ（符号２）に送信される（ステップＳ１６）。Ｗｅｂサーバ（符号２）に送信された画像データは、画像受信者のクライアント末端（符号３）の表示画面に表示される（ステップＳ９）。撮影は、一回に限られることなく、通常は複数回行われる。撮影された画像は、撮影がなされるたびに画像送信者のクライアント末端（符号４）からＷｅｂサーバ（符号２）に送信され、画像受信者のクライアント末端（符号３）の表示画面に表示される。
【００６８】
図７（２）から図７（４）は、画像送信者と画像受信者の各クライアント末端（符号３、４）に表示される画像欄（符号８）と画像（符号１０から１２）を示したものである。図７（２）は、１枚目の画像（符号１０）が撮影され、その画像（符号１０）が画像欄（符号８）内に表示されている状態である。図７（３）は、２枚目の画像（符号１１）が撮影され、１枚目の画像（符号１０）に並んで、２枚目の画像（符号１１）が表示されている状態である。図７（４）は、１、２枚目の画像（符号１０、１１）に並んで、３枚目の画像（符号１２）が表示されている状態である。
【００６９】
撮影が終わると、画像受信者は、画像受信者のクライアント末端（符号３）の表示画面に表示されている画像のうちから自分が入手したい、気に入った画像を選択し、選択した画像を同末端（符号３）で印刷し、あるいは、同末端（符号３）に画像データを記録（保存）するためにその画像データを同末端（符号３）で受信・記録できるように、画像データを送信してもらいたい旨の連絡事項をＷｅｂサーバ（符号２）に送信する（ステップＳ１０）。画像送信者のクライアント末端（符号４）は、その表示画面にその連絡事項を表示する（ステップ１７）。
【００７０】
画像送信者は、画像受信者の選択に従い、画像を選択し、その画像データを電子メールにより、画像送信者のクライアント末端（符号４）から画像受信者のクライアント末端（符号３）に向けて送信する。この場合、画像データは、電子メールの添付ファイルとして送信される（ステップＳ１８）。
【００７１】
画像データの送付は、次のような方法によっても行うことができる。一つは、電子メールのようなメールサーバを使用せずに、画像送信者のクライアント末端（符号４）から画像受信者のクライアント末端（符号３）に画像データを直接送信する方法である。他の方法は、画像送信者のクライアント末端（符号４）からＷｅｂサーバ（符号２）に画像データを送信し、Ｗｅｂサーバ（符号２）がその画像データを記録し、更に、画像受信者のクライアント末端（符号３）がＷｅｂサーバ（符号２）からその画像データを受信して記録する方法である。
【００７２】
画像受信者のクライアント末端（符号３）が、上記の３つの方法で画像送信者のクライアント末端（符号４）から直接又は間接に画像データを受信した場合、画像受信者のクライアント末端（符号３）は、鮮明な画像を印刷し、あるいは、鮮明な画像を印刷しうる形態でそのコンピュータのハードディスク等に画像データを記録することができる。これに対して、図７（４）に示した画像受信者のクライアント末端（符号３）の表示画面に表示される画像欄（符号８）の画像（符号１０から１２）は、同末端（符号３）がＷｅｂサーバ（符号２）に記録されている画像データをその表示画面に表示しているものであり、同末端（符号３）がその画像を鮮明に印刷したり、あるいは、鮮明な画像を印刷しうる形態でそのコンピュータのハードディスク等にその画像データを記録することはできない。
【００７３】
なお、画像受信者のクライアント末端（符号３）と画像送信者のクライアント末端（符号４）の間でなされる画像撮影に関しての連絡事項の送受信は、文字データでなく、音声データにより行われてもよい。
【００７４】
以上の説明は、画像撮影システムにおいても、画像撮影の方法においても同じである。
【００７５】
【発明の効果】
本発明の第１の効果は、コンピュータネットワークを利用して交信可能なＷｅｂサーバ、映像撮影手段、画像撮影手段が接続された画像送信者のクライアント末端、画像受信者のクライアント末端を含む画像撮影システム及び方法等（特に、請求項１から６、１２から１７にかかる発明）により、画像受信者と画像送信者が遠距離にいたとしても、画像受信者が、撮影方法について、画像送信者に指示を与えるために、合意された撮影日に撮影現場に行く必要がなく、画像受信者が撮影現場に行く時間、手間、費用をはぶくことができることにある。この効果は、画像受信者と画像送信者が同一建物内の異なる場所にいるようなときにも発揮される。
【００７６】
本発明の第２の効果は、コンピュータネットワークを利用して交信可能なＷｅｂサーバ、映像撮影手段、画像撮影手段が接続された画像送信者のクライアント末端、画像受信者のクライアント末端を含む画像撮影システム及び方法等（特に、請求項１から６、１２から１７にかかる発明）により、画像受信者が、撮影日までに、撮影方法を記載した文書を郵送若しくはファックスで画像送信者に送付したり、又は、それらを電子データとして電子メールで画像送信者に送付したりする等して画像送信者に指示を与える必要がなくなり、且つ、画像受信者が、撮影現場にいなくても（特に、撮影現場と遠距離にいようと）、あたかも撮影現場にいるのと同様の撮影を実現することができることにある。
【００７７】
本発明の第３の効果は、コンピュータネットワークを利用して交信可能なＷｅｂサーバ、映像撮影手段、画像撮影手段が接続された画像送信者のクライアント末端、画像受信者のクライアント末端を含む画像撮影システム及び方法等（特に、請求項２、３、５、６、９から１１、１３、１４、１６、１７、２０から２２にかかる発明）により、撮影された画像を画像受信者が画像送信者のもとに取りに行く必要がなくなり、また、撮影された画像を画像送信者から画像受信者に電子メール等のコンピュータネットワークを通して送付する場合にも、複数枚撮られた画像のうち画像受信者の気に入った一部の画像のみを送付するようなときに、どの画像を送付するかの選択、決定の困難さがなくなり、撮影された複数枚の画像のうち画像受信者の気に入った画像のみを即時に画像受信者に送付することができることにある。
【００７８】
本発明の第４の効果は、コンピュータネットワークを利用して交信可能なＷｅｂサーバ、映像撮影手段、画像撮影手段が接続された画像送信者のクライアント末端、画像受信者のクライアント末端を含む画像撮影システム及び方法等（特に、請求項１から６、９から１１、１２から１７、２０から２２にかかる発明）により、上記のような写真撮影の場合に限らず、同一場所にいない者同士において、一方の者が有するパーソナル・コンピュータに記録されている画像データを他方の者が閲覧し、その画像データについて両者で話し合いをする場合に、両者が画像を自由に選択し、選択された画像データを画像受信者のクライアント末端と画像送信者のクライアント末端の各表示画面にそれぞれ表示し、その画像について自由に話し合いを進めることができことにある。
【００７９】
本発明の第５の効果は、請求項７、８、１８、１９にかかる発明により、第三者がコンピュータネットワークを悪用することにより撮影の様子を第三者に勝手に閲覧されることがないようにしたことである。
【図面の簡単な説明】
【図１】コンピュータネットワークを含む画像撮影システム全体の構成を示すものである。
【図２】図３と一体となり、本発明の一実施例の動作を示すフローチャートである。
【図３】図２と一体となり、本発明の一実施例の動作を示すフローチャートである。
【図４】画像受信者のクライアント末端の表示画面に表示される画面の例を示すものである。
【図５】画像受信者のクライアント末端の表示画面に表示される画面の例を示すものである。
【図６】画像送信者のクライアント末端の表示画面に表示される画面の例を示すものである。
【図７】画像受信者及び画像送信者の各クライアント末端の表示画面に表示される画面の例を示すものである。
【符号の説明】
１  コンピュータネットワーク
２  Ｗｅｂサーバ
３  画像受信者のクライアント末端
４  画像送信者のクライアント末端
５  デジタルカメラ
６  デジタルビデオカメラ
７  ビデオ映像欄
８  画像欄
９  連絡事項記載欄
１０  画像
１１  画像
１２  画像
【図１】
2004312626.tif 000003
【図２】
2004312626.tif 000004
【図３】
2004312626.tif 000005
【図４】
2004312626.tif 000006
【図５】
2004312626.tif 000007
【図６】
2004312626.tif 000008
【図７】
2004312626.tif 000009